(57)【特許請求の範囲】
【請求項１】
複数のＬＥＤモジュール（１００）と、隣接した前記ＬＥＤモジュール（１００）の間に設置され、前記ＬＥＤモジュール（１００）をディスプレイスクリーンとして接続する複数の取付アセンブリと、を含む可変なＬＥＤディスプレイスクリーンであって、
前記取付アセンブリは、それに接続された隣接した前記ＬＥＤモジュール（１００）同士の相対隙間を微調節できる調節可能な取付アセンブリであり、
前記調節可能な取付アセンブリは、
「田」字状に配置された４つの前記ＬＥＤモジュール（１００）の間に設置され、且つ４つの前記ＬＥＤモジュール（１００）の頂角に接続され、４つの前記ＬＥＤモジュール（１００）の間において二つずつ隣接した前記ＬＥＤモジュール（１００）のＸ方向隙間及びＹ方向隙間を調節する中間調節可能取付部材（１０３）を含み、
前記中間調節可能取付部材（１０３）は、
延伸方向がＸ軸方向と定義された水平フレーム（２１）と延伸方向がＹ軸方向と定義された垂直フレーム（２２）とで構成された第２の固定フレーム（２）と、
４つ設置されており、前記水平フレーム（２１）と前記垂直フレーム（２２）との両側に設置され、「田」字状に配置されており、前記水平フレーム（２１）の両側に設置されたものがＸ軸方向に沿って移動可能であり、前記垂直フレーム（２２）の両側に設置されたものがＹ軸方向に沿って移動可能であり、それぞれに１つの前記ＬＥＤモジュール（１００）が取り付けられた第２の可動ブロック（３）と、
少なくとも３つ設置されており、それぞれ前記水平フレーム（２１）と前記垂直フレーム（２２）とに取り付けられており、それぞれの両端がそれぞれ２つの前記第２の可動ブロック（３）に接続されており、両側の前記第２の可動ブロック（３）を相互に離れたり近接したりするように調節することで二つの前記第２の可動ブロック（３）に取り付けられた二つのＬＥＤモジュール（１００）の間の隙間を調節し、前記水平フレーム（２１）に取り付けられたものが全体的にＸ軸方向に沿って移動可能に前記水平フレーム（２１）に設置されたＹ軸隙間調節機構であり、前記垂直フレーム（２２）に取り付けられたものが全体的にＹ軸方向に沿って移動可能に前記垂直フレーム（２２）に設置されるＸ軸隙間調節機構である、第２の隙間調節機構と、を含む、
ことを特徴とする可変なＬＥＤディスプレイスクリーン。
【請求項２】
前記水平フレーム（２１）には長手方向がＸ軸方向に沿って延伸するＸ方向ストリップ状通し孔（２１１）が成形されており、前記垂直フレーム（２２）には長手方向がＹ軸方向に沿って延伸するＹ方向ストリップ状通し孔（２２１）が成形されており、前記Ｘ軸隙間調節機構は移動可能に前記Ｙ方向ストリップ状通し孔（２２１）内にあり、且つ両端が前記Ｙ方向ストリップ状通し孔（２２１）から伸び出して左右の二つの前記第２の可動ブロック（３）に接続され、二つの前記第２の可動ブロック（３）をＸ軸方向に沿って相互に離れたり相互に近接したりするように駆動させることができ、前記Ｙ軸隙間調節機構は移動可能にＸ方向ストリップ状通し孔（２１１）内にあり、且つ両端が前記Ｘ方向ストリップ状通し孔（２１１）から伸び出して上下の二つの前記第２の可動ブロック（３）に接続され、二つの前記第２の可動ブロック（３）をＹ軸方向に沿って相互に離れたり相互に近接したりするように駆動させることができることを特徴とする請求項１に記載の可変なＬＥＤディスプレイスクリーン。
【請求項３】
前記第２の隙間調節機構は両端にネジ山が成形された調節ネジであり、前記Ｘ軸隙間調節機構はＸ軸調節ネジ（４）であり、前記Ｙ軸隙間調節機構はＹ軸調節ネジ（５）であり、前記第２の可動ブロック（３）の前記Ｘ軸調節ネジ（４）に向かった側面には前記Ｘ軸調節ネジ（４）にネジ接続することに適合するＸ軸ネジ穴（３５）が成形され、前記Ｙ軸調節ネジ（５）に向かった側面には前記Ｙ軸調節ネジ（５）にネジ接続することに適合するＹ軸ネジ穴（３６）が成形されていることを特徴とする請求項２に記載の可変なＬＥＤディスプレイスクリーン。
【請求項４】
前記Ｘ軸調節ネジ（４）は、Ｘ軸調節部（４１）及び前記Ｘ軸調節部（４１）の両側に固定された２つのＸ軸ネジ山部（４２）を含み、２つの前記Ｘ軸ネジ山部（４２）のスレッド方向が反対であり、２つの前記Ｘ軸ネジ山部（４２）がそれぞれ前記Ｘ軸調節ネジ（４）の両側の前記Ｘ軸ネジ穴（３５）にネジ接続され、前記Ｘ軸ネジ穴（３５）のスレッド方向が対応する前記Ｘ軸ネジ山部（４２）に適応しており、前記Ｙ軸調節ネジ（５）は、Ｙ軸調節部（５１）及び前記Ｙ軸調節部（５１）の両側に固定された２つのＹ軸ネジ山部（５２）を含み、２つの前記Ｙ軸ネジ山部（５２）のスレッド方向が反対であり、２つの前記Ｙ軸ネジ山部（５２）は、それぞれ前記Ｙ軸調節ネジ（５）の両側の前記Ｙ軸ネジ穴（３６）にネジ接続され、前記Ｙ軸ネジ穴（３６）のスレッド方向が対応する前記Ｙ軸ネジ山部（５２）に適応していることを特徴とする請求項３に記載の可変なＬＥＤディスプレイスクリーン。
【請求項５】
前記調節可能な取付アセンブリは、隣接した前記ＬＥＤモジュール（１００）の間のＸ軸方向に沿った相対隙間を調節するＸ軸調節可能取付部材（１０１）と、隣接した前記ＬＥＤモジュール（１００）の間のＹ軸方向に沿った相対隙間を調節するＹ軸調節可能取付部材（１０２）と、を含むことを特徴とする請求項１〜４のいずれか一項に記載の可変なＬＥＤディスプレイスクリーン。
【請求項６】
前記Ｘ軸調節可能取付部材（１０１）がＸ軸方向と平行する前記ディスプレイスクリーンの縁を形成する前記ＬＥＤモジュール（１００）の間に設置され、前記Ｙ軸調節可能取付部材（１０２）がＹ軸方向と平行する前記ディスプレイスクリーンの縁を形成する前記ＬＥＤモジュール（１００）の間に設置されることを特徴とする請求項５に記載の可変なＬＥＤディスプレイスクリーン。
【請求項７】
複数のＬＥＤモジュール（１００）と、隣接した前記ＬＥＤモジュール（１００）の間に設置され、前記ＬＥＤモジュール（１００）をディスプレイスクリーンとして接続する複数の取付アセンブリと、を含む可変なＬＥＤディスプレイスクリーンであって、
前記取付アセンブリは、それに接続された隣接した前記ＬＥＤモジュール（１００）同士の相対隙間を微調節できる調節可能な取付アセンブリであり、
前記調節可能な取付アセンブリは、
隣接した前記ＬＥＤモジュール（１００）の間のＸ軸方向に沿った相対隙間を調節するＸ軸調節可能取付部材（１０１）と、隣接した前記ＬＥＤモジュール（１００）の間のＹ軸方向に沿った相対隙間を調節するＹ軸調節可能取付部材（１０２）と、を含み、
前記Ｘ軸調節可能取付部材（１０１）がＸ軸方向と平行する前記ディスプレイスクリーンの縁を形成する前記ＬＥＤモジュール（１００）の間に設置され、前記Ｙ軸調節可能取付部材（１０２）がＹ軸方向と平行する前記ディスプレイスクリーンの縁を形成する前記ＬＥＤモジュール（１００）の間に設置され、
前記Ｘ軸調節可能取付部材（１０１）と前記Ｙ軸調節可能取付部材（１０２）とは構造が同じであり、いずれも第１の固定フレーム（１６）と、前記第１の固定フレーム（１６）に取り付けられた第１の隙間調節機構（１７）と、前記第１の固定フレーム（１６）に移動可能に接続された２つの第１の可動ブロック（１８）とを含み、それぞれの前記第１の可動ブロック（１８）が同じ側の前記ＬＥＤモジュール（１００）の頂角に対応して接続され、前記第１の隙間調節機構（１７）の両端がそれぞれ前記第１の可動ブロック（１８）に接続され、両側の前記第１の可動ブロック（１８）を相互に離れたり近接したりするように調節することで前記第１の可動ブロック（１８）に取り付けられた前記ＬＥＤモジュール（１００）同士の隙間を調節する、
ことを特徴とする可変なＬＥＤディスプレイスクリーン。
【請求項８】
前記第１の固定フレーム（１６）はＴ形に成形されて横方向フレームと縦方向フレームとを含み、前記第１の隙間調節機構（１７）は前記第１の固定フレーム（１６）の前記縦方向フレームに横向きに設置され、２つの前記第１の可動ブロック（１８）は前記縦方向フレームの両側に配置されて前記第１の隙間調節機構（１７）の両端に接続されていることを特徴とする請求項７に記載の可変なＬＥＤディスプレイスクリーン。
【請求項９】
前記Ｘ軸調節可能取付部材（１０１）及び前記Ｙ軸調節可能取付部材（１０２）に、いずれも付属品の接続に適合する接続構造（１１）が設置されていることを特徴とする請求項７又は８に記載の可変なＬＥＤディスプレイスクリーン。
【請求項１０】
前記接続構造（１１）はネジ穴であることを特徴とする請求項９に記載の可変なＬＥＤディスプレイスクリーン。
【請求項１１】
前記付属品は、ＬＥＤディスプレイスクリーン全体を支持する支持脚（１２）、ＬＥＤディスプレイスクリーン全体を吊り上げて取り付けるブーム（１３）、ＬＥＤディスプレイスクリーン全体に取り付けられるオーディオ（１４）、又はＬＥＤディスプレイスクリーン全体の下端に懸吊される懸吊ケース（１５）であることを特徴とする請求項９又は１０に記載の可変なＬＥＤディスプレイスクリーン。
【請求項１２】
前記接続構造（１１）が前記第１の固定フレーム（１６）の外側の側壁に設置されていることを特徴とする請求項９〜１１のいずれか一項に記載の可変なＬＥＤディスプレイスクリーン。
【請求項１３】
前記ＬＥＤモジュール（１００）は、屈曲可能なＬＥＤモジュールであることを特徴とする請求項１〜１２のいずれか一項に記載の可変なＬＥＤディスプレイスクリーン。
【請求項１４】
前記屈曲可能なＬＥＤモジュールは、複数の発光アセンブリを取り付ける弾性部材層（１９）と、前記弾性部材層の背部に作用し、前記弾性部材層（１９）の両側を強く引っ張ったり強く突っ張ったりして前記層弾性部材層（１９）に内弧又は外弧湾曲を発生させる調節部（２０）と、を含むことを特徴とする請求項１３に記載の可変なＬＥＤディスプレイスクリーン。
【発明の詳細な説明】
【技術分野】
【０００１】
本発明は、ＬＥＤディスプレイスクリーンに関し、具体的には、サイズと形状とがいずれも変化可能なＬＥＤディスプレイスクリーンに関する。
【背景技術】
【０００２】
従来のテレビディスプレイスクリーンは全体として一つのスクリーンであるため、そのサイズが変化不可能であり、使用者が快適に視聴する効果を達成するために使用場所の実際の状況に応じてスクリーンのサイズとテレビの角度とを変更することに不便であった。なお、テレビディスプレイスクリーンは、一般にサイズが大きく壊れやすいので、運送に不便であるという問題も存在する。
【０００３】
上記問題に対して、特許文献１には、複数のＬＥＤ表示ユニットを備えたＬＥＤディスプレイスクリーンを含み、複数のＬＥＤ表示ユニットにおける隣接した２つのＬＥＤ表示ユニットが取り外し可能に接続され、ＬＥＤディスプレイスクリーンが第１の方向に対向して設置された２つの側部縁と、全てが前記２つの側部縁の間に位置する頂部縁及び底部縁と、を備えたＬＥＤテレビが開示されている。
【０００４】
特許文献１のＬＥＤテレビは実際の使用において以下のような欠点が存在する。１、該特許文献において、ディスプレイスクリーンを支持する支持構造がディスプレイスクリーンのサイズの変化に適応することができないため、ＬＥＤモジュールの数量を増加又は減少させることにより異なったサイズのディスプレイスクリーンを生産する場合に、支持構造における縦バーと横バー取付部材も全て対応して改めて製作し、台座も改めて製作することが必要であり、生産コストが増加する。２、該ディスプレイスクリーンの表面が単一の平面形式しか呈することができないため、購入した後に変更不可能であり、使用場所の実際の状況に応じて変更することができず、最適な視聴効果を実現できない。３、テレビの機能拡張に不便である。４、ＬＥＤ表示ユニットの間の接続部材は固定されて調節不可能であるが、ＬＥＤ表示ユニットの製造と取付にはいずれも誤差が存在するため、既存の設備との組立レベルにおいて、高密度ＬＥＤモジュール同士の繋ぎ合わせた隙間に完全に影響しなくなるまで製造と取付の誤差を減らすことはまだ不可能であり、ＬＥＤ表示ユニット同士の隙間がやや大きく又はやや小さくなって視聴効果に影響してしまう。
【先行技術文献】
【特許文献】
【０００５】
【特許文献１】中国実用新案公告第ＣＮ２０３８０１０１７Ｕ号明細書
【発明の概要】
【発明が解決しようとする課題】
【０００６】
そのため、本発明は、従来の技術におけるＬＥＤテレビのディスプレイスクリーンにおいて、ＬＥＤモジュールを接続する接続部材が調節不可能であるために、ＬＥＤモジュールをスクリーンとして繋ぎ合わせる場合に、隣接したＬＥＤモジュール同士の隙間が調節不可能であり、ＬＥＤ表示ユニット同士の隙間がやや大きく又はやや小さくなって視聴効果に影響してしまうという問題を解決して、調節可能な接続部材を備え、調節可能な接続部材により隣接したＬＥＤモジュール同士の隙間を調節して、ＬＥＤモジュールの製造誤差及び取付誤差を補うことができるＬＥＤディスプレイスクリーンを提案することを解決しようとする技術課題とする。
【０００７】
更に、形状が変化可能なＬＥＤディスプレイスクリーンを提供する。
【課題を解決するための手段】
【０００８】
上記技術課題を解決するために、本発明の技術的解決手段は以下のとおりである。
【０００９】
複数のＬＥＤモジュールと、隣接した前記ＬＥＤモジュールの間に設置され、前記ＬＥＤモジュールをディスプレイスクリーンとして接続する複数の取付アセンブリとを含み、前記取付アセンブリが、それに接続された隣接した前記ＬＥＤモジュール同士の相対隙間を微調節できる調節可能な取付アセンブリである、可変なＬＥＤディスプレイスクリーンである。
【００１０】
本発明の可変なＬＥＤディスプレイスクリーンにおいて、前記調節可能な取付アセンブリは、隣接した前記ＬＥＤモジュールの間のＸ軸方向に沿った相対隙間を調節するＸ軸調節可能取付部材と、隣接した前記ＬＥＤモジュールの間のＹ軸方向に沿った相対隙間を調節するＹ軸調節可能取付部材と、を含む。
【００１１】
本発明の可変なＬＥＤディスプレイスクリーンにおいて、前記Ｘ軸調節可能取付部材が、Ｘ軸方向と平行する前記ディスプレイスクリーンの縁を形成する前記ＬＥＤモジュールの間に設置され、前記Ｙ軸調節可能取付部材が、Ｙ軸方向と平行する前記ディスプレイスクリーンの縁を形成する前記ＬＥＤモジュールの間に設置され、更に、「田」字状に配置された４つの前記ＬＥＤモジュールの間に設置され、且つ４つの前記ＬＥＤモジュールの頂角に接続され、４つの前記ＬＥＤモジュールの間において二つずつ隣接した前記ＬＥＤモジュールのＸ方向隙間及びＹ方向隙間を調節する中間調節可能取付部材が含まれる。
【００１２】
本発明の可変なＬＥＤディスプレイスクリーンにおいて、前記Ｘ軸調節可能取付部材及び前記Ｙ軸調節可能取付部材にはいずれも付属品の接続に適合する接続構造が設置されている。
【００１３】
本発明の可変なＬＥＤディスプレイスクリーンにおいて、前記接続構造はネジ穴である。
【００１４】
本発明の可変なＬＥＤディスプレイスクリーンにおいて、前記付属品は、ＬＥＤディスプレイスクリーン全体を支持する支持脚、ＬＥＤディスプレイスクリーン全体を吊り上げて取り付けるブーム、ＬＥＤディスプレイスクリーン全体に取り付けられるオーディオ、又はＬＥＤディスプレイスクリーン全体の下端に懸吊される懸吊ケースである。
【００１５】
本発明の可変なＬＥＤディスプレイスクリーンにおいて、前記Ｘ軸調節可能取付部材と前記Ｙ軸調節可能取付部材とは構造が同じであり、いずれも第１の固定フレームと、前記第１の固定フレームに取り付けられた第１の隙間調節構造と、前記第１の固定フレームに移動可能に接続された２つの第１の可動ブロックとを含み、それぞれの前記第１の可動ブロックが同じ側の前記ＬＥＤモジュールの頂角に対応して接続され、前記第１の隙間調節機構の両端がそれぞれ前記第１の可動ブロックに接続され、両側の前記第１の可動ブロックを相互に離れたり近接したりするように調節することで、前記第１の可動ブロックに取り付けられた前記ＬＥＤモジュール同士の隙間を調節し、前記接続構造が前記第１の固定フレームの外側の側壁に設置されている。
【００１６】
本発明の可変なＬＥＤディスプレイスクリーンにおいて、前記第１の固定フレーム１６はＴ形に成形されて横方向フレームと縦方向フレームとを含み、前記第１の隙間調節機構１７は前記第１の固定フレーム１６の前記縦方向フレームに横向きに設置され、２つの前記第１の可動ブロック１８は前記縦方向フレームの両側に配置され、前記第１の隙間調節機構１７の両端に接続されている。
【００１７】
本発明の可変なＬＥＤディスプレイスクリーンにおいて、前記中間調節可能取付部材は、
延伸方向がＸ軸方向と定義された水平フレームと延伸方向がＹ軸方向と定義された垂直フレームとで構成された第２の固定フレームと、
４つ設置されており、前記水平フレームと前記垂直フレームとの両側に設置され、「田」字状に配置されており、前記水平フレームの両側に設置されたものがＸ軸方向に沿って移動可能であり、前記垂直フレームの両側に設置されたものがＹ軸方向に沿って移動可能であり、それぞれに１つの前記ＬＥＤモジュールが取り付けられた第２の可動ブロックと、
少なくとも３つ設置されており、それぞれ前記水平フレームと前記垂直フレームとに取り付けられており、それぞれの両端がそれぞれ２つの前記第２の可動ブロックに接続されており、両側の前記第２の可動ブロックを相互に離れたり近接したりするように調節することで二つの前記第２の可動ブロックに取り付けられた二つのＬＥＤモジュールの間の隙間を調節し、前記水平フレームに取り付けられたものが全体的にＸ軸方向に沿って移動可能に前記水平フレームに設置されたＹ軸隙間調節機構であり、前記垂直フレームに取り付けられたものが全体的にＹ軸方向に沿って移動可能に前記垂直フレームに設置されたＸ軸隙間調節機構である第２の隙間調節機構と、を含む。
【００１８】
本発明の可変なＬＥＤディスプレイスクリーンにおいて、前記水平フレームには長手方向がＸ軸方向に沿って延伸するＸ方向ストリップ状通し孔が成形されており、前記垂直フレームには長手方向がＹ軸方向に沿って延伸するＹ方向ストリップ状通し孔が成形されており、前記Ｘ軸隙間調節機構は移動可能に前記Ｙ方向ストリップ状通し孔内にあり、且つ両端が前記Ｙ方向ストリップ状通し孔から伸び出して左右の二つの前記第２の可動ブロックに接続され、二つの前記第２の可動ブロックをＸ軸方向に沿って相互に離れたり相互に近接したりするように駆動させることができ、前記Ｙ軸隙間調節機構は移動可能にＸ方向ストリップ状通し孔内にあり、且つ両端が前記Ｘ方向ストリップ状通し孔から伸び出して上下の二つの前記第２の可動ブロックに接続され、二つの前記第２の可動ブロックをＹ軸方向に沿って相互に離れたり相互に近接したりするように駆動させることができる。
【００１９】
本発明の可変なＬＥＤディスプレイスクリーンにおいて、前記第２の隙間調節機構は両端にネジ山が成形された調節ネジであり、前記Ｘ軸隙間調節機構はＸ軸調節ネジであり、前記Ｙ軸隙間調節機構はＹ軸調節ネジであり、前記第２の可動ブロックの前記Ｘ軸調節ネジに向かった側面には前記Ｘ軸調節ネジにネジ接続することに適合するＸ軸ネジ穴が成形され、前記Ｙ軸調節ネジに向かった側面には前記Ｙ軸調節ネジにネジ接続することに適合するＹ軸ネジ穴が成形されている。
【００２０】
本発明の可変なＬＥＤディスプレイスクリーンにおいて、前記Ｘ軸調節ネジは、Ｘ軸調節部及び前記Ｘ軸調節部の両側に固定された２つのＸ軸ネジ山部を含み、２つの前記Ｘ軸ネジ山部のスレッド方向が反対であり、２つの前記Ｘ軸ネジ山部がそれぞれ前記Ｘ軸調節ネジの両側の前記Ｘ軸ネジ穴にネジ接続され、前記Ｘ軸ネジ穴のスレッド方向が対応する前記Ｘ軸ネジ山部に適応しており、前記Ｙ軸調節ネジはＹ軸調節部及び前記Ｙ軸調節部の両側に固定された２つのＹ軸ネジ山部を含み、２つの前記Ｙ軸ネジ山部のスレッド方向が反対であり、２つの前記Ｙ軸ネジ山部がそれぞれ前記Ｙ軸調節ネジの両側の前記Ｙ軸ネジ穴にネジ接続され、前記Ｙ軸ネジ穴のスレッド方向が対応する前記Ｙ軸ネジ山部に適応している。
【００２１】
本発明の可変なＬＥＤディスプレイスクリーンにおいて、前記ＬＥＤモジュールは、屈曲可能なＬＥＤモジュールである。
【００２２】
本発明の可変なＬＥＤディスプレイスクリーンにおいて、前記屈曲可能なＬＥＤモジュールは、複数の発光アセンブリを取り付ける弾性部材層と、前記弾性部材層の背部に作用し、前記炭素繊維層の両側を強く引っ張ったり強く突っ張ったりして前記弾性部材層に内弧又は外弧湾曲を発生させる調節部と、を含む。
【発明の効果】
【００２３】
本発明の上記技術的解決手段は従来の技術に比べて以下の利点を有する。
１、本発明において、取付アセンブリを、隣接したＬＥＤモジュール同士の相対隙間を調節できる調節可能な取付アセンブリとして設置することにより、ＬＥＤモジュールの数量を増加又は減少させることで、ディスプレイスクリーンのサイズの調節を実現する。これによって異なったサイズ及び規格のＬＥＤディスプレイスクリーンの製造を便利にすることができるだけでなく、ＬＥＤモジュールをディスプレイスクリーンとして組み立てる組立過程で、組み立てながら調節することができ、ＬＥＤモジュールで製造誤差、及び取付誤差によりＬＥＤモジュール同士の隙間が大き過ぎ又は小さ過ぎて、ＬＥＤディスプレイスクリーンの視聴効果に影響することを補うことができる。本発明の可変なＬＥＤディスプレイスクリーンは、テレビ、コンピュータ等のディスプレイスクリーンを有する電子設備に使用することができる。
２、本発明において、Ｘ軸調節可能取付部材とＹ軸調節可能取付部材とに接続構造を設置することで、ＬＥＤディスプレイスクリーンに多種の付属品を接続することが便利になり、ＬＥＤディスプレイスクリーンの機能を拡張できるだけでなく、任意に変更することができ、特に支持脚が接続構造により直接Ｘ軸調節可能取付部材又はＹ軸調節可能取付部材に接続される場合に、そのようにして異なったサイズのＬＥＤディスプレイスクリーンを製造した時、一種類の支持脚を汎用することができ、生産コストが削減される。
３、本発明において、本発明の可変なＬＥＤディスプレイスクリーンは、高解像度の屈曲可能なＬＥＤモジュールを使用することにより更に形状の変更を実現でき、実際の環境に応じて平面、円弧状面、及びＳ形面等の間で調節変換を行うことができる。
４、本発明において、特別な構造のＸ軸調節可能取付部材、Ｙ軸調節可能取付部材、及び中間調節可能取付部材の組み合わせは、ＬＥＤ同士を継ぎ目なく繋ぎ合わせることを実現し、ディスプレイスクリーンの表面に黒線及び輝線が見えないようにすることができ、人が材料を追加して補填することで調整する必要がなく、調節効果がよく、調節方式が簡単であり、調節時間が省かれる。
【００２４】
本発明の内容をより理解しやすくするために、以下、本発明の具体的な実施例に基づいて添付図面を参照して本発明を更に詳細に説明する。
【図面の簡単な説明】
【００２５】
【図１】本発明の可変なＬＥＤディスプレイスクリーンが支持脚により支持された正面図である。
【図２】本発明の可変なＬＥＤディスプレイスクリーンがブームにより壁に取り付けられた模式図である。
【図３】本発明の可変なＬＥＤディスプレイスクリーンにオーディオ、懸吊ケース、支持脚１０が接続された模式図である。
【図４】本発明の可変なＬＥＤディスプレイスクリーンが円弧状面に湾曲した模式図である。
【図５】本発明の可変なＬＥＤディスプレイスクリーンがＳ形面に湾曲した模式図である。
【図６】中間調節可能取付部材の斜視図である。
【図７】図６の分解図である。
【図８】Ｘ軸調節可能取付部材又はＹ軸調節可能取付部材の斜視図である。
【図９】屈曲可能なＬＥＤモジュールの正面図である。
【図１０】屈曲可能なＬＥＤモジュールの側面図である。
【発明を実施するための形態】
【００２６】
添付図面を参照し、以下の実施形態を用いて本発明を更に説明する。
【００２７】
図１に示すように、本実施例の可変なＬＥＤディスプレイスクリーンは、複数のＬＥＤモジュール１００と、隣接した前記ＬＥＤモジュール１００の間に設置され、前記ＬＥＤモジュール１００をディスプレイスクリーンとして接続する複数の取付アセンブリとを含み、前記取付アセンブリは、それに接続された隣接した前記ＬＥＤモジュール１００同士の相対隙間を微調節できる調節可能な取付アセンブリである。
【００２８】
上記解決手段は本発明の核心的な解決手段であり、取付アセンブリを、隣接したＬＥＤモジュール１００同士の相対隙間を調節できる調節可能な取付アセンブリとして設置することにより、ＬＥＤモジュールの数量を増加又は減少させることで、ディスプレイスクリーンのサイズの調節を実現し、異なったサイズと規格のＬＥＤディスプレイスクリーンの製造を便利にすることができるだけでなく、ＬＥＤモジュール１００をディスプレイスクリーンとして組み立てる組立過程で、組み立てながら調節することができる。このようにして、ＬＥＤモジュール１００で製造誤差、及び取付誤差によりＬＥＤモジュール同士の隙間が、大き過ぎ又は小さ過ぎて、ＬＥＤディスプレイスクリーンの視聴効果に影響することを補うことができる。本発明の可変なＬＥＤディスプレイスクリーンは、テレビ、コンピュータ等のディスプレイスクリーンを有する電子設備に使用することができる。
【００２９】
具体的には、前記調節可能な取付アセンブリは、隣接した前記ＬＥＤモジュール１００の間のＸ軸方向に沿った相対隙間を調節するＸ軸調節可能取付部材１０１と、隣接した前記ＬＥＤモジュール１００の間のＹ軸方向に沿った相対隙間を調節するＹ軸調節可能取付部材１０２とを含む。前記Ｘ軸調節可能取付部材１０１はＸ軸方向と平行する前記ディスプレイスクリーンの縁を形成する前記ＬＥＤモジュール１００の間に設置され、前記Ｙ軸調節可能取付部材１０２はＹ軸方向と平行する前記ディスプレイスクリーンの縁を形成する前記ＬＥＤモジュール１００の間に設置されており、前記調節可能な取付アセンブリは、「田」字状に配置された４つの前記ＬＥＤモジュール１００の間に設置され、且つ４つの前記ＬＥＤモジュール１００の頂角に設置され、４つの前記ＬＥＤモジュール１００の間において二つずつ隣接した前記ＬＥＤモジュール１００のＸ方向隙間及びＹ方向隙間を調節する中間調節可能取付部材１０３を更に含む。
【００３０】
図８に示すように、前記Ｘ軸調節可能取付部材１０１及び前記Ｙ軸調節可能取付部材１０２には、いずれも付属品の接続に適合する接続構造１１が設置されている。前記接続構造１１は、ネジ穴、ネジ又は他の構造であってもよく、好ましくは、前記接続構造１１はネジ穴である。図１〜３に示すように、前記付属品は、ＬＥＤディスプレイスクリーン全体を支持する支持脚１２、ＬＥＤディスプレイスクリーン全体を吊り上げて取り付けるブーム１３、ＬＥＤディスプレイスクリーン全体に取り付けられるオーディオ１４、又はＬＥＤディスプレイスクリーン全体の下端に懸吊される懸吊ケース１５であってもよい。接続構造１１を設置することでＬＥＤディスプレイスクリーンに多種の付属品を接続することが便利になり、ＬＥＤディスプレイスクリーンの機能を拡張できるだけでなく、任意に変更することができ、特に支持脚が接続構造により直接Ｘ軸調節可能取付部材又はＹ軸調節可能取付部材に接続される場合に、そのようにして異なったサイズのＬＥＤディスプレイスクリーンを製造した時、一種類の支持脚を汎用することができ、生産コストが削減される。なお、各付属品はいずれも直接Ｘ軸調節可能取付部材又はＹ軸調節可能取付部材に接続されるので、独立して取り付けられるものであり、支持構造が壊れたためにオーディオ、テレビボックス設備を取り付けられなくなることはない。
【００３１】
図８に示すように、本実施例において、前記Ｘ軸調節可能取付部材１０１と前記Ｙ軸調節可能取付部材１０２とは構造が同じであり、いずれも第１の固定フレーム１６と、前記第１の固定フレーム１６に取り付けられた第１の隙間調節機構１７と、前記第１の固定フレーム１６に移動可能に接続された２つの第１の可動ブロック１８とを含み、それぞれの前記第１の可動ブロック１８が同じ側の前記ＬＥＤモジュール１００の頂角に対応して接続され、前記第１の隙間調節機構１７の両端がそれぞれ前記第１の可動ブロック１８に接続され、両側の前記第１の可動ブロック１８を相互に離れたり近接したりするように調節することで、前記第１の可動ブロック１８に取り付けられた前記ＬＥＤモジュール１００同士の隙間を調節し、前記接続構造１１が前記第１の固定フレーム１６の外側の側壁に設置されていることが好ましい。前記第１の固定フレーム１６はＴ形に成形されてもよく、横方向フレームと縦方向フレームを含み、第１の隙間調節機構１７は前記第１の固定フレーム１６の縦方向フレームに横向きに設置され、２つの第１の可動ブロック１８は前記縦方向フレームの両側に配置されて第１の隙間調節機構１７の両端に接続されている。該第１の隙間調節機構１７の構造は、下記中間調節可能取付部材１０３のＸ軸隙間調節機構又はＹ軸隙間調節機構と同じである。
【００３２】
図６及び７に示すように、本実施例において、前記中間調節可能取付部材１０３は、
延伸方向がＸ軸方向と定義された水平フレーム２１と延伸方向がＹ軸方向と定義された垂直フレーム２２とで構成される第２の固定フレーム２と、
４つ設置されており、前記水平フレーム２１と前記垂直フレーム２２との両側に設置され、「田」字状に配置されており、前記水平フレーム２１の両側に設置されたものがＸ軸方向に沿って移動可能であり、前記垂直フレーム２２の両側に設置されたものがＹ軸方向に沿って移動可能であり、それぞれに１つの前記ＬＥＤモジュール１００が取り付けられた第２の可動ブロック３と、
少なくとも３つ設置されており、それぞれ前記水平フレーム２１と前記垂直フレーム２２とに取り付けられており、それぞれの両端がそれぞれ２つの前記第２の可動ブロック３に接続されており、両側の前記第２の可動ブロック３を相互に離れたり近接したりするように調節することで二つの前記第２の可動ブロック３に取り付けられた二つのＬＥＤモジュール１００の間の隙間を調節し、前記水平フレーム２１に取り付けられたものが全体的にＸ軸方向に沿って移動可能に前記水平フレーム２１に設置されたＹ軸隙間調節機構であり、前記垂直フレーム２２に取り付けられたものが全体的にＹ軸方向に沿って移動可能に前記垂直フレーム２２に設置されたＸ軸隙間調節機構である、第２の隙間調節機構と、
を含むことが好ましい。
【００３３】
前記水平フレーム２１には、長手方向がＸ軸方向に沿って延伸するＸ方向ストリップ状通し孔２１１が成形されており、前記垂直フレーム２２には長手方向がＹ軸方向に沿って延伸するＹ方向ストリップ状通し孔２２１が成形されており、前記Ｘ軸隙間調節機構は、移動可能に前記Ｙ方向ストリップ状通し孔２２１内にあり、且つ両端が前記Ｙ方向ストリップ状通し孔２２１から伸び出して、左右の二つの前記第２の可動ブロック３に接続されて、二つの前記第２の可動ブロック３をＸ軸方向に沿って相互に離れたり相互に近接したりするように駆動させることができ、前記Ｙ軸隙間調節機構は、移動可能にＸ方向ストリップ状通し孔２１１内にあり、且つ両端が前記Ｘ方向ストリップ状通し孔２１１から伸び出して上下の二つの前記第２の可動ブロック３に接続されて、二つの前記第２の可動ブロック３をＹ軸方向に沿って相互に離れたり相互に近接したりするように駆動させることができることが好ましい。
【００３４】
更に、前記第２の隙間調節機構は、両端にネジ山が成形された調節ネジであり、前記Ｘ軸隙間調節機構はＸ軸調節ネジ４であり、前記Ｙ軸隙間調節機構はＹ軸調節ネジ５であり、前記第２の可動ブロック３の前記Ｘ軸調節ネジ４に向かった側面には、前記Ｘ軸調節ネジ４にネジ接続することに適合するＸ軸ネジ穴３５が成形され、前記Ｙ軸調節ネジ５に向かった側面には前記Ｙ軸調節ネジ５にネジ接続することに適合するＹ軸ネジ穴３６が成形されている。このような構造の隙間調節機構は構造が簡単であり、製造しやすいだけでなく、調節に便利である。
【００３５】
前記Ｘ軸調節ネジ４は、Ｘ軸調節部４１及び前記Ｘ軸調節部４１の両側に固定された２つのＸ軸ネジ山部４２を含み、２つの前記Ｘ軸ネジ山部４２のスレッド方向が反対であり、２つの前記Ｘ軸ネジ山部４２がそれぞれ前記Ｘ軸調節ネジ４の両側の前記Ｘ軸ネジ穴３５にネジ接続され、前記Ｘ軸ネジ穴３５のスレッド方向が対応する前記Ｘ軸ネジ山部４２に適応しており、前記Ｙ軸調節ネジ５はＹ軸調節部５１及び前記Ｙ軸調節部５１の両側に固定された２つのＹ軸ネジ山部５２を含み、２つの前記Ｙ軸ネジ山部５２のスレッド方向が反対であり、２つの前記Ｙ軸ネジ山部５２がそれぞれ前記Ｙ軸調節ネジ５の両側の前記Ｙ軸ネジ穴３６にネジ接続され、前記Ｙ軸ネジ穴３６のスレッド方向が対応する前記Ｙ軸ネジ山部５２に適応している。
【００３６】
上記構造の中間調節可能取付部材１０３を用いれば、継ぎ目なく繋ぎ合わせることを実現し、スクリーンの表面に黒線及び輝線が見えないようにすることができ、人が材料を追加して補填することで調整する必要がなく、調節効果がよく、調節方式が簡単であり、調節時間が省かれる。前記Ｙ軸隙間調節機構が全体的にＸ軸方向に沿って移動可能に前記水平フレーム２１に設置されるので、二つの可動ブロック３のＸ軸方向に沿った隙間を調節する時、Ｙ軸隙間調節機構は可動ブロック３に伴って水平フレーム２１に対してＸ軸方向の移動を発生させることができ、Ｘ軸隙間調節機構が二つの可動ブロックのＸ軸方向の隙間を調節する時に干渉することがない。同じ理由で、前記Ｘ軸隙間調節機構が全体的にＹ軸方向に沿って移動可能に前記垂直フレームに設置されるので、Ｙ軸隙間調節機構が二つの可動ブロックのＹ軸方向隙間を調節する時に干渉することもない。Ｘ軸ネジ穴とＸ軸ネジ山部との間、Ｙ軸ネジ穴とＹ軸ネジ山部との間に隙間があり、標準的な雄ネジと雌ネジであってもそれらの間に隙間があるため、中間調節可能取付部材１０３における一方のＸ軸調節ネジ１５を調節する時にも、他方のＸ軸調節ネジが該Ｘ軸調節ネジの微調節に干渉することがなく、同じ理由で、Ｙ軸調節も同様である。
【００３７】
更に、前記ＬＥＤモジュール１００を屈曲可能なＬＥＤモジュールとして設置することにより、本発明の可変なＬＥＤディスプレイスクリーンは、ＬＥＤモジュールの数を変更することでサイズを変化させることを実現できるだけでなく、更に形状を変化させることを実現でき、図４及び５に示すように、本発明のＬＥＤディスプレイスクリーンは平面であってもよく、弧形面及びＳ形面に調節してもよい。屈曲可能なＬＥＤモジュールを実現する構造は多種あり、図９及び１０に示すように、本実施例において、前記屈曲可能なＬＥＤモジュールは、複数の発光アセンブリを取り付ける弾性部材層１９と、前記弾性部材層の背部に作用し、前記弾性部材層１９の両側を強く引っ張ったり強く突っ張ったりして前記弾性部材層１９に内弧又は外弧湾曲を発生させる調節部２０と、を含むことが好ましい。
【００３８】
勿論、上記実施例は挙げられた例を明らかに説明するためのものに過ぎず、実施形態を限定するものではない。当業者にとって上記説明に基づいて更に他の異なった形式の変化又は変更を行うことができる。ここで全ての実施形態を挙げることは必要でなく、更に不可能である。それに基づく明らかな変化又は変更は、本発明の創造の保護範囲にも含まれる。
【符号の説明】
【００３９】
１００  ＬＥＤモジュール、１０１  Ｘ軸調節可能取付部材、１０２  Ｙ軸調節可能取付部材、１０３  中間調節可能取付部材、１１  接続構造、１２  支持脚、１３  ブーム、１４  オーディオ、１５  懸吊ケース、１６  第１の固定フレーム、１７  第１の隙間調節機構、１８  第１の可動ブロック、１９  弾性部材層、２０  調節部、２  第２の固定フレーム、２１  水平フレーム、２２  垂直フレーム、２１１  Ｘ方向ストリップ状通し孔、２２１  Ｙ方向ストリップ状通し孔、３５  Ｘ軸ネジ穴、３６  Ｙ軸ネジ穴、４  Ｘ軸調節ネジ、４１  Ｘ軸調節部、４２  Ｘ軸ネジ山部、５  Ｙ軸調節ネジ、５１  Ｙ軸調節部、５２  Ｙ軸ネジ山部
【図１】
0006291074.tif 000002
【図２】
0006291074.tif 000003
【図３】
0006291074.tif 000004
【図４】
0006291074.tif 000005
【図５】
0006291074.tif 000006
【図６】
0006291074.tif 000007
【図７】
0006291074.tif 000008
【図８】
0006291074.tif 000009
【図９】
0006291074.tif 000010
【図１０】
0006291074.tif 000011